(57)【要約】【課題】  逆流防止ファンモジュールを提供する。【解決手段】  分割手段でハウジング内部が二つの収容室に分けられ、分割手段がハウジングの放熱出風エリアに延伸されてそれを分割して二つの出風口となし、二つの収容室内にファンセットが設けられ、二つの収容室内の二つの出風口に近い部分に逆流防止板が設けられ、そのうち一つのファンセットが失効時に、それに対応する逆流防止板が自重及びハウジング内外の圧力差により即刻対応する出風口を遮蔽し、このときもう一つのファンセットが正常運転を維持し、且つ気体の流動がなんの影響も受けず、コンピュータ装置の放熱の安定性を保持する。このほか、本発明の部品の多くは共用部品とされ、このため構造上の部品数を減らせ並びに共用部品の使用により製造コストを下げることができる。【選択図】        図２
2005128995.tif 000002
【特許請求の範囲】
【請求項１】
コンピュータ装置のケース内部に組み付けられる逆流防止ファンモジュールであり、
コンピュータ装置のケース内部に組み付けられ、且つ一側壁に該コンピュータ装置の該ケースの外部に対応し連通する放熱出風エリアを具え、底板に別に第１入風口と第２入風口が開設されたハウジングと、
該ハウジング内部を第１収容室と第２収容室に分割し、該放熱出風エリアに延伸されてそれを第１出風口と第２出風口に分割し、且つ第１収容室が第１入風口と第１出風口に対応し連通し、第２収容室が第２入風口と第２出風口に対応し連通する分割手段と、
第１収容室と第２収容室内部に収容された二つのファンセットと、
第１収容室内にあって該第１出風口近くに組み付けられた第１逆流防止板と、
第２収容室内にあって該第２出風口近くに組み付けられた第２逆流防止板と、
を具えたことを特徴とする、逆流防止ファンモジュール。
【請求項２】
請求項１記載の逆流防止ファンモジュールにおいて、ファンセットが軸流ファンとされたことを特徴とする、逆流防止ファンモジュール。
【請求項３】
請求項１記載の逆流防止ファンモジュールにおいて、ファンセットが遠心ファンとされたことを特徴とする、逆流防止ファンモジュール。
【請求項４】
請求項１記載の逆流防止ファンモジュールにおいて、第１逆流防止板が逆止め弁とされたことを特徴とする、逆流防止ファンモジュール。
【請求項５】
請求項１記載の逆流防止ファンモジュールにおいて、第２逆流防止板が一組のブラインドブレードとされて第２出風口部分に設けられたことを特徴とする、逆流防止ファンモジュール。
【請求項６】
請求項１記載の逆流防止ファンモジュールにおいて、第１、第２逆流防止板が軟性材質で形成されたことを特徴とする、逆流防止ファンモジュール。
【請求項７】
請求項１記載の逆流防止ファンモジュールにおいて、ハウジングの放熱出風エリアに柵板が組み付けられたことを特徴とする、逆流防止ファンモジュール。
【発明の詳細な説明】
【技術分野】
【０００１】
本発明は一種の逆流防止ファンモジュールに係り、特に、コンピュータ装置冷却用の逆流防止ファンモジュールに関する。
【背景技術】
【０００２】
一般にコンピュータ装置においてはその冷却問題がエンジニアを悩ませる。特に、現在コンピュータ装置内のマイクロプロセッサチップのクロックはますます高くなり、その発生する熱量もますます大きくなり、有効に熱量を放出しなければ、コンピュータ装置に故障が発生しやすくなる。このためコンピュータ装置内には冷却用の装置が必ず組み付けられる。
【０００３】
逆流防止ファンモジュールは、ケースの内部にファンセットが設けられてなり、ファンセットの発生する気体によりコンピュータ装置の発生する熱量をコンピュータ装置の外側に送り、且つ外部気体のファンセット内への逆流を防止するため、ケースには逆流防止装置が設けられて気体の逆流を防止している。
【０００４】
しかし、伝統的な逆流防止ファンモジュールには欠点があり、特許文献１によると、その逆流防止装置の構造は複雑すぎ、且つ必要な部品数が多く、製造コストが高くなる。また特許文献２によると、その逆流防止装置はそのうちの一つの失効が発生する時、コンピュータ装置のシステムを停止して修理しなければならない。さらに特許文献３によると、異なる位置に複数のファンが組み付けられ、そのうち一組が失効すると、コンピュータ装置内の気体の流動が影響を受ける。また、特許文献４によると、直接ファン機構が新たに設計されて逆方向気体流動（ｒｅｖｅｒｓｅｄ  ａｉｒ  ｆｌｏｗ）の機能を達成しているが、特殊設計のファン機構は部品のストックに難しさがあり、市販品を使用できない。
【０００５】
【特許文献１】米国特許第５，８９０，９５９号明細書
【特許文献２】米国特許第５，７９３，６１０号明細書
【特許文献３】米国特許第５，４３８，２２６号明細書
【特許文献４】米国特許第６，２１７，４４０Ｂ１明細書
【発明の開示】
【発明が解決しようとする課題】
【０００６】
本発明の主要な目的は、一種の逆流防止ファンモジュールを提供することにあり、それは、そのうち一つのファンセットが失効した時も、コンピュータ装置の冷却の安定性を有効に保持できるものとする。
【０００７】
本発明のもう一つの目的は、一種の逆流防止ファンモジュールを提供することにあり、それは部品数を減らせ、並びに共用部品を使用して製造コストを減らすことができるものとする。
【０００８】
本発明の逆流防止ファンモジュールはコンピュータ装置のケース内部に設けられ、且つこの逆流防止ファンモジュールはハウジング、分割手段、二つのファンセット、第１逆流防止板、第２逆流防止板を具えている。そのうちハウジングはコンピュータ装置のケース内部に組み付けられ、且つこのハウジングの一側壁に放熱出風エリアが開設され、それはコンピュータ装置ケースの外部に対応し連通し、且つハウジングの底板に別に第１入風口と第２入風口が設けられている。
【０００９】
このほか、分割手段は上述のハウジング内部を分割して第１収容室と第２収容室となし、この分割手段がハウジングの放熱出風エリアに延伸されてそれを第１出風口と第２出風口に分け、第２収容室は第２入風口と第２出風口に対応しそれらと連通する。
【００１０】
また、二つのファンセットはそれぞれ第１収容室と第２収容室内部に収容され、第１逆流防止板（ｂａｃｋ  ｆｌｏｗ  ｐｒｅｖｅｎｔｉｏｎ）は第１収容室内にあって第１出風口に近い部分に組み付けられ、第２逆流防止板は第２収容室内にあって第２出風口に近い部分に組み付けられる。
【００１１】
コンピュータ装置の冷却作業を行ない二つのファンセットが運転開始する時、第１、第２入風口よりコンピュータ装置内の冷却気体が吸入され、その後、冷却気体は第１、第２出風口よりコンピュータ装置のケース外側に送られ、且つ第１、第２逆流防止板がファンセット運転時にファンセットの気体に吹き動かされて開放される。
【課題を解決するための手段】
【００１２】
請求項１の発明は、コンピュータ装置のケース内部に組み付けられる逆流防止ファンモジュールであり、
コンピュータ装置のケース内部に組み付けられ、且つ一側壁に該コンピュータ装置の該ケースの外部に対応し連通する放熱出風エリアを具え、底板に別に第１入風口と第２入風口が開設されたハウジングと、
該ハウジング内部を第１収容室と第２収容室に分割し、該放熱出風エリアに延伸されてそれを第１出風口と第２出風口に分割し、且つ第１収容室が第１入風口と第１出風口に対応し連通し、第２収容室が第２入風口と第２出風口に対応し連通する分割手段と、
第１収容室と第２収容室内部に収容された二つのファンセットと、
第１収容室内にあって該第１出風口近くに組み付けられた第１逆流防止板と、
第２収容室内にあって該第２出風口近くに組み付けられた第２逆流防止板と、
を具えたことを特徴とする、逆流防止ファンモジュールとしている。
請求項２の発明は、請求項１記載の逆流防止ファンモジュールにおいて、ファンセットが軸流ファンとされたことを特徴とする、逆流防止ファンモジュールとしている。
請求項３の発明は、請求項１記載の逆流防止ファンモジュールにおいて、ファンセットが遠心ファンとされたことを特徴とする、逆流防止ファンモジュールとしている。
請求項４の発明は、請求項１記載の逆流防止ファンモジュールにおいて、第１逆流防止板が逆止め弁とされたことを特徴とする、逆流防止ファンモジュールとしている。
請求項５の発明は、請求項１記載の逆流防止ファンモジュールにおいて、第２逆流防止板が一組のブラインドブレードとされて第２出風口部分に設けられたことを特徴とする、逆流防止ファンモジュールとしている。
請求項６の発明は、請求項１記載の逆流防止ファンモジュールにおいて、第１、第２逆流防止板が軟性材質で形成されたことを特徴とする、逆流防止ファンモジュールとしている。
請求項７の発明は、請求項１記載の逆流防止ファンモジュールにおいて、ハウジングの放熱出風エリアに柵板が組み付けられたことを特徴とする、逆流防止ファンモジュールとしている。
【発明の効果】
【００１３】
本発明は分割手段でハウジング内部が第１収容室と第２収容室とに分けられ、且つ二つのファンセットがそれぞれ第１収容室と第２収容室内部に設けられ、第１、第２逆流防止板もまた第１収容室と第２収容室の第１出風口と第２出風口に近い部分に設けられ、これにより、そのうち一つのファンセットが失効する時、それに対応する逆流防止板が自重及びハウジング内外の気体流動により発生する圧力差により、即刻対応する出風口を遮蔽し、もう一つのファンセットがその正常な運転を維持し、且つその冷却気体の流動がなんの影響も受けず、これによりコンピュータ装置冷却の安定性を保持できる。
【００１４】
このほか、本発明の部品の多くは共用部品とされ、例えばファンセット、分割手段がしかりであり、これにより構造設計が簡単で、構造上の部品数を減らし並びに共用部品の使用により製造コストを減らすことができる。
【発明を実施するための最良の形態】
【００１５】
図１は本発明の実施状態を示す。本発明の逆流防止ファンモジュール９はコンピュータ装置８のケース８１内部に組み付けられる。
【００１６】
図１、及び図２の本発明の立体分解図、及び図３の本発明の平面図を参照されたい。上述の逆流防止ファンモジュール９はハウジング１、分割手段４、二つのファンセット２、３、第１逆流防止板５、及び第２逆流防止板６を具えている。そのうち、ハウジング１は上述のコンピュータ装置８のケース８１内部に組み付けられ、且つこのハウジング１の一側壁に放熱出風エリア１１が開設され、該放熱出風エリア１１はコンピュータ装置８のケース８１の外部に対応し並びに連通し、また放熱出風エリア１１に柵板７（Ｇｒｉｌｌｅ  Ｍａｓｋ）が組み付けられて、外部の異物のハウジング１内部への進入を防止する。このほか、ハウジング１の底板１２に別に第１入風口１２１と第２入風口１２２が開設されている。
【００１７】
このほか、図中の分割手段４は第１分割手段４１及び第２分割手段４２を具え、それはそれぞれ円弧状を呈し、且つ組み合わせられた後にＳ形の構造を呈する。この分割手段４は上述のハウジング１内部を分割して第１収容室１３と第２収容室１４となし、この分割手段４がハウジング１の放熱出風エリア１１に延伸されてそれを第１出風口１１１と第２出風口１１２に分け、第１収容室１３は第１入風口１２１と第１出風口１１１に対応してそれらと連通し、第２収容室１４は第２入風口１２２と第２出風口１１２に対応しそれらと連通する。
【００１８】
また、図中の二つのファンセット２、３は本実施例では軸流ファンとされるが、当然その他の同じ効果を有するファンセット、例えば遠心ファンを使用することもできる。前述の二つのファンセット２、３はそれぞれ第１収容室１３と第２収容室１４内部に収容される。第１逆流防止板５はハウジング１の第１収容室１３内にあって第１出風口１１１に近い部分に組み付けられて第１出風口１１１を遮蔽し、第２逆流防止板６はハウジング１の第２収容室１４内にあって第２出風口１１２に近い部分に組み付けられ並びにそれを遮蔽する。
【００１９】
本実施例中、第１逆流防止板５は逆止め弁とされ、それは垂直にハウジング１の底板１２に枢設され、第２逆流防止板６は一組のブラインドのブレードとされ、それは第２出風口１１２部分に水平に枢設される。
【００２０】
コンピュータ装置８の冷却作業を行なう時、二つのファンセット２、３が運転開始する時、第１、第２入風口１２１、１２２よりコンピュータ装置８内の冷却気体が吸入され、この時、Ｓ形構造の分割手段４が二つのファンセット２、３の形成する気体を分割すると共に気体流動の案内作用を提供する。その後、二つのファンセット２、３が冷却気体をハウジング１の第１、第２出風口１１１、１１２よりコンピュータ装置８のケース８１外側に送り、第１、第２逆流防止板５、６はファンセット２、３の運転時に、ファンセット２、３の気体に吹き動かされて開放され、こうしてコンピュータ装置８の冷却の目的を達成する。
【００２１】
上述したように、Ｓ形構造の分割手段４がハウジング１内部を分割して相互に不影響の第１収容室１３と第２収容室１４となし、且つ二つのファンセット２、３はそれぞれ第１収容室１３と第２収容室１４内部に収容され、第１、第２逆流防止板５、６もまた第１収容室１３、第２収容室１４内の第１出風口１１１と第２出風口１１２に近い部分に取り付けられる。これにより、そのうち一つのファンセット２が失効した時、それに対応する第１逆流防止板５（逆止め弁）がハウジング１内側と外側の気流流動により発生する圧力差により、即刻その対応する第１出風口１１１を遮蔽し、気体が第１出風口１１１よりハウジング１内に逆流するのを防止し、これと同時に、もう一つのファンセット３がその正常運転を維持し、且つその冷却気体の流動がいかなる影響も受けない。前述の第１逆流防止板５は設計上、復位バネ（図示せず）を具えて、復位バネの弾性力によりそれが自動閉合するものとされうる。
【００２２】
反対に、そのうちのファンセット３が失効する時、それに対応する第２逆流防止板６（ブラインドブレード）が自重及びハウジング１内外の気体流動により発生する圧力差により、対応する第２出風口１１２を遮蔽し、気体が第２出風口１１２よりハウジング１内に逆流するのを防止し、これと同時に、もう一つのファンセット２がその正常運転を維持し、且つその冷却気体の流動がいかなる影響も受けない。以上の構造設計により、そのうち一つのファンセット２、３が失効する時も、有効にコンピュータ装置８の冷却の安定性を保持できる。
【００２３】
このほか、上述の構造に使用される部品の多くは共用部品とされ、例えばファンセット２、３、分割手段４、逆流防止板５、６がそうである。これにより構造設計を簡易化できるほか、生産及び組立上も構造上の部品数を減らすことができ、且つ共用部品の使用により製造コストを減らすことができる。
【００２４】
また、上述の第１、第２逆流防止板５、６は枢軸と枢設孔の方式でハウジング１に枢設され、且つ第１、第２逆流防止板５、６は軟性材質、例えばゴム、プラスチック、樹脂等で形成され、こうして第１、第２逆流防止板５、６に破損が発生する時、壊れた第１、第２逆流防止板５、６を僅かに湾曲変形させてそれをハウジング１より取り外すことができ、同様の方式で新しい第１、第２逆流防止板５、６に交換でき、この方式により修理上の便利性を増している。
【００２５】
上述の実施例は本発明の実施範囲を限定するものではなく、本発明に基づきなしうる細部の修飾或いは改変は、いずれも本発明の請求範囲に属するものとする。
【図面の簡単な説明】
【００２６】
【図１】本発明の実施状態表示図である。
【図２】本発明の立体分解図である。
【図３】本発明の平面図である。
【符号の説明】
【００２７】
１  ハウジング        １１  放熱出風エリア        １１１  第１出風口
１１２  第２出風口    １２  底板                  １２１  第１入風口
１２２  第２入風口    １３  第１収容室            １４  第２収容室
２、３  ファンセット  ４  分割手段                ４１  第１分割手段
４２  第２分割手段    ５  第１逆流防止板          ６  第２逆流防止板
７  柵板              ８  コンピュータ装置        ８１  ケース
９  逆流防止ファンモジュール
【図１】
2005128995.tif 000003
【図２】
2005128995.tif 000004
【図３】
2005128995.tif 000005